(57)【要約】      （修正有）【課題】箸母材に造成した立体物と、それに被篏されるチューブ状のフィルムの図形とにより、自然物や建築物等の立体的な形体を色付きで表した箸を提供する。【解決手段】箸母材に凹部２ｂ，２ｃ等により野菜形状等の立体物を造形する。熱収縮性フィルム５に野菜等の彩色された図形６を印刷する。上記フィルム５を立体物に被嵌して加熱により一体に結合して、彩色された立体物からなる野菜等の所定の形状７を表わして、箸に優れた意匠を施す。【選択図】図２
0003178906.tif 000002
【実用新案登録請求の範囲】
【請求項１】
箸母材にチューブ状フィルムを被篏して、該チューブ状フィルムを加熱、収縮して前記箸母材表面に一体に結合してなる箸において、
前記箸母材は、立体物が造形されてなり、
前記チューブ状フィルムは、図形が彩色されてなり、
前記立体物と前記図形とにより、彩色された立体物からなる所定の形体を表わしてなる、
ことを特徴とする箸。
【請求項２】
前記立体物は、前記箸母材の持ち手部に造形された野菜形状であり、
前記図形は、前記野菜形状に対応する野菜の表面図形であり、
前記所定の形体が野菜である、
請求項１記載の箸。
【請求項３】
前記箸母材は、断面三角形からなり、持ち手部と箸先部との間に所定間隔を隔てて第１展望台及び第２展望台をイメージする第１及び第２膨出部を形成し、
前記チューブ状フィルムの図形は、東京スカイツリーをイメージした図形であり、
前記所定の形体が東京スカイツリーである、
請求項１記載の箸。
【考案の詳細な説明】
【技術分野】
【０００１】
本発明は、箸に係り、詳しくは立体的な装飾を施した箸に関する。
【背景技術】
【０００２】
食事時に用いられる箸は、箸母材に何層も漆を塗重ねた後、多様な模様を研ぎ出す高級品や、樹脂塗料で塗った汎用品、業務用品等各種のものがあるが、一般に、箸は、塗料により各種の模様が装飾されて、消費者の購買意欲を高めている。
【０００３】
従来、箸母材に模様層を付し、該箸母材に、模様を施したチューブ状のフィルムを外挿、位置決めした後熱固定し、箸母材の模様層と熱収縮性フィルムの模様とが組合わされた模様を備えた箸が提案されている（特開２０１２−５５５０号公報）。
【先行技術文献】
【特許文献】
【０００４】
【特許文献１】特開２０１２−５５５０号公報
【考案の概要】
【考案が解決しようとする課題】
【０００５】
上記箸は、模様が施されたチューブ状のフィルムと下地である模様層との相乗効果を発揮するとしても、上記両模様は、共に平坦面等の単純な面に描かれたものであり、平面的な単純な模様であって、立体的な意匠を付与することはできない。なお、特許文献１に、模様層として、立体的な凹凸形状による模様層があってもよい旨の記載があるが、それは図１８に示すような粘土状の凸部等の単純な模様であって、立体的な形体による意匠を意図するものではない。
【０００６】
そこで、本考案は、箸母材に造成した立体物と、それに被篏されるチューブ状のフィルムの図形とが相俟って、自然物及び建築物等の立体的な所定の形体を色付きで表し、もって上記課題を解決した箸を提供することを目的とするものである。
【課題を解決するための手段】
【０００７】
本考案は、箸母材（１２）にチューブ状フィルム（５）を被篏して、該チューブ状フィルムを加熱、収縮して前記箸母材表面に一体に結合してなる箸（１３）において、
前記箸母材（１２）は、立体物（２）（１５，１６）が造形されてなり、
前記チューブ状フィルム（５）は、図形（６）が彩色されてなり、
前記立体物（２）（１５，１６）と前記図形（６）とにより、彩色された立体物からなる所定の形体（７）（９）（１０）（１７）を表わしてなる、ことを特徴とする。
【０００８】
例えば図２，図３，図４を参照して、前記立体物は、前記箸母材の持ち手部（１ａ）に造形された野菜形状であり、
前記図形は、前記野菜形状に対応する野菜の表面図形であり、
前記所定の形体が野菜（７）（９）（１０）である。
【０００９】
例えば図５，図６，図７を参照して、前記箸母材（１２）は、断面三角形からなり、持ち手部（１ａ）と箸先部（１ｂ）との間に所定間隔を隔てて第１展望台及び第２展望台をイメージする第１及び第２膨出部（１５）（１６）を形成し、
前記チューブ状フィルムの図形（６）は、東京スカイツリーをイメージした図形であり、
前記所定の形体が東京スカイツリー（１７）である。
【００１０】
なお、上記カッコ内の符号は、図面を参照するためのものであるが、これにより実用新案登録請求の範囲に記載の構成に何等影響を及ぼすものではない。
【考案の効果】
【００１１】
請求項１に係る本考案によると、箸母材に立体物を造形し、彩色された図形を有するチューブ状フィルムを上記立体物に被嵌して一体に結合し、上記立体物と図形により、彩色された立体物からなる所定の形体を表わすので、該所定の形体からなる迫力のある優れた意匠を箸に施して、消費者の購買意欲を高めることができる。また、チューブ状フィルムは、熱収納する際に箸母材の立体物に強固に結合し、使用等によって立体物と図形とがズレることはなく、上記優れた意匠を長期に亘って維持することができる。
【００１２】
請求項２に係る本考案によると、箸に表わされる形体が野菜であるので、「野菜の箸で野菜を食べよう」等の箸購入時及び箸使用時に箸の機能にマッチした動機付けを与え、箸の価値を向上することができる。また、野菜は各種あり、かつその形体も長細いものが多く、箸としての機能に支障のない形状であり、多くの品揃えが可能である。
【００１３】
請求項３に係る本考案によると、箸に表わされる形体が東京スカイツリーであるので、タイムリーな迫力のある優れた意匠を呈示して、購入意欲を高めることができる。また、東京スカイツリーは、細長い形状からなり、箸としての機能の支障となることはなく、優れた意匠性と箸の使用感とを共に満足することができる。
【図面の簡単な説明】
【００１４】
【図１】（Ａ）は箸素材を示す正面図、（Ｂ）はそれを造形した箸母材を示す正面図、（Ｃ）は箸母材の平（上）面図。
【図２】（Ａ）は熱収縮性フィルムの展開した状態を示す正面図、（Ｂ）は本考案の実施の形態に係る箸を示す正面図。
【図３】形体を胡瓜とした他の実施の形態による箸を示す正面図。
【図４】形体を人参とした他の実施の形態による箸を示す正面図。
【図５】形体を東京スカイツリーとした他の実施の形態を示し、（Ａ）は箸素材の正面図、（Ｂ）（Ｃ）は箸母材を示す正面図、（Ｄ）は箸先部の断面図、（Ｅ）は持ち手部の断面図。
【図６】その熱収縮性フィルムの展開した正面図。
【図７】東京スカイツリーとした実施の形態による箸を示す正面図。
【考案を実施するための形態】
【００１５】
以下、図面に沿って、本考案に係る箸の実施の形態について説明する。箸素材１１は、図１（Ａ）に示すように、木材、竹材等の天然材料から形成され、持ち手部１ａ及び箸先部１ｂを有する先細形状の通常の箸形状からなる。該箸素材１１は、図１（Ｂ）に示すように、削り加工により、天部にテーパ２ａを形成すると共に、所定間隔をあけて２個の凹部２ｂ，２ｃを形成して、所定の立体物２が造形されて箸母材１２となる。具体的には、箸母材１２は、その上方部分Ａが大根の切り残った葉部分となり、上部の凹部２ｂ部分が茎部分Ｂとなり、上下の凹部２ｂ，２ｃの間部分が身部分Ｃとなって、全体で持ち手部１ａに大根形状２が造形される。
【００１６】
なお、箸素材１１は、天然材料に限らず、合成樹脂又は金属材料等の他の素材でもよく、合成樹脂の場合、型成形により大根２等の所定の立体物を成形すればよく、また金属の場合、切削加工により所定の立体物が形成される。また、本実施の形態にあっては、箸母材１２の断面（上面図）は、図１（Ｃ）に示すように、四角形からなるが、これは、円形、三角形、他の多角形等のどのような形状でもよい。
【００１７】
図２（Ａ）に示すように、熱収縮性（シュリンク）フィルム５に所定の彩色された図形６が印刷される。具体的には、図形６は、一方（上方）部分に緑色により大根の葉部分６ａが描かれ、次いで茎部分６ｂ、青首部分６ｃが描かれ、そして他端（下端）に亘って白色の身部分６ｄが描かれ、全体として展開した大根図形からなる。該熱収縮性フィルム５は、上記大根からなる図形６が印刷された後、該図形６を表面又は裏面として筒状に接着され、チューブ状フィルムとなる。該チューブ状フィルムは、連続して上記図形（大根）６が描かれた長尺のものとし成形した後、各図形６毎に切断してもよく、また図形６を１個毎にチューブ状に成形してもよい。
【００１８】
上記チューブ状フィルム（５）は、前記箸母材１２に被嵌され、加熱することにより収縮して、該箸母材１２の持ち手部１ａに一体に結合される。この際、前記箸母材１２に造形された大根形状２に上記熱収縮性フィルム５の大根図形６が対応するように位置決めされて結合される。具体的には、箸母材１２の大根形状（立体物）２とフィルム５の大根図形６は、それぞれ葉部分Ａと６ａ、茎及び青首部分Ｂと６ｂ，６ｃ、身部分Ｃと６ｄとが対応して、図２（Ｂ）に示すように箸１３が形成される。即ち、箸１３は、その持ち手部１ａに箸母材１２に造形された立体物である大根形状２に、フィルム５の彩色された大根図形６が重ねられて、所定の形体である大根７が表される。
【００１９】
箸母材１２にフィルム５が収縮係合された後、箸１３は、ポリエステル系樹脂等の透明な（又は薄い色の）合成塗料が塗布されて仕上げられる。なお、箸先部１ｂに多数の環状の滑り止め用凹溝を形成する等、他の加工が施されてもよいことは勿論である。
【００２０】
上記箸１３は、その持ち手部１ａに彩色された立体物である大根７が形成され、迫力ある目立った意匠として購買者に訴えることができる。チューブ状フィルムは熱収縮して、その上端部が箸母材１２の大根テーパ２ａを覆い、その中間部が上部凹部２ｂに嵌込み、かつその下端部が下部凹部２ｃに係合して、箸母材の大根形状２にフィルムの大根図形６が強固に結合し、長期の使用によってもずれることなく大根２の意匠が保持される。
【００２１】
箸母材１２に造形された立体物と熱収縮性フィルムの彩色図形による所定の形体は、上述した大根に限らず、図３に示す胡瓜、図４に示す人参、その他ねぎ、かぶら、とうもろこし等の他の野菜でもよく、更に野菜以外の他の自然物、人工物でもよい。図３に示す箸１３は、全体が緑色からなり、中間部に多数の黒点が描かれたフィルムと、上端に大きなテーパ２ａ’、長手方向に長い凹部２ｂ’、その下方に凹部２ｃ’が形成された箸母材とにより胡瓜９が形成され、また図４に示す箸１３は、上端部が緑色の葉部１０ａ、その下方に茶色の茎部１０ｂ、その下方に赤色の身部１０ｃが描かれたフィルムと、テーパ２ａ”、凹部２ｂ”、２ｃ”が形成された箸母材とにより人参１０が形成されている。
【００２２】
箸１３の持ち手部１ａに形成される野菜等の所定の形体は、購買者の目につく優れた意匠が好ましいが、持ち手部として握持しやすい細長い形状が採用され、野菜をデフォルトした形体が好適である。
【００２３】
ついで、図５ないし図７に沿って、他の実施の形態について説明する。本実施の形態による箸は、意匠のモチーフを東京スカイツリーとしている。箸素材１１は、図５（Ａ）に示すように、持ち手部１ａを含む大部分が断面三角形からなり［（Ｅ）参照］、かつ箸先部１ｂが断面円形からなり［（Ｄ）参照］、持ち手部１ａ及び箸先部１ｂを有する通常の箸形状と同様な先細形状からなる。該箸素材１１の箸先部分１ｂには、図５（Ｂ）（Ｃ）に示すように、糸巻き又は彫り加工により多数の環状の凹凸を形成して、ゲイン塔をイメージした滑り止め部１２を形成すると共に、ブルー又はピンク色の合成塗料を塗布し、更にアンテナをイメージする黒縦線１３を描いている。更に、該箸素材１１の箸先部１ｂの上方部分に、所定間隔を隔てて、テープを所定厚さに巻くことにより膨出して、東京スカイツリーの第１展望台（天望デッキ）及び第２展望台（天望回廊）をイメージする第１及び第２膨出部１５，１６が形成される。これにより、図５（Ｃ）に示すように、東京スカイツリーを造形した箸母材１２が形成される。
【００２４】
熱収縮性フィルム５は、図６に示すように、箸母材１２の箸先部１ｂを除いた長さ（箸全体の約８割）からなり、長手方向及び斜め方向に延びる多数の線模様６ｆを基調とし、かつ第１展望台（天望デッキ）６ｇ及び第２展望台（天望回廊）６ｈを模して、東京スカイツリーをイメージした図形６が印刷されている。該図形６の全体は、東京スカイツリーがライティングされた状態をイメージするものであり、「粋」をイメージしてブルーを基調として彩色され、また「雅」をイメージして江戸紫を基調として彩色される。なお、上記図形６は、またライティングされていない状態をイメージして、明るい色で全体が彩色されてもよい。また、箸母材１２に描かれた上記アンテナをイメージする縦線１３は、上記フィルムの図形６に印刷されてもよい。
【００２５】
そして、該展開されている熱収縮性フィルム５は、筒状に両端が接着されてチューブ状フィルムが形成され、該チューブ状フィルムを、前記箸母材１２の箸先部１ｂを除く部分に被嵌されて、加熱することにより収縮して一体に結合される。これにより、図７に示すように、断面三角形からなり、第１展望台（天望デッキ）及び第２展望台（天望回廊）をイメージする第１及び第２の膨出部１５，１６並びにゲイン塔をイメージする滑り止め部１２からなる立体物を造形された箸母材１２に、上記第１及び第２膨出部に上記第１展望台６ｇ及び第２展望台６ｈが対応するようにして、上記東京スカイツリーをイメージした図形６を有するフィルムが結合されて、東京スカイツリー１７を表わした意匠を備えた箸１３となる。該箸１３も、同様に仕上り工程が施される。
【００２６】
該東京スカイツリーを表わした箸１３は、チューブ状フィルムの一端（上端）が箸母材１２の上端の隅部を覆い、かつ該フィルムが収縮して箸母材１２の第１及び第２膨出部１５，１６に係合して、該フィルムが使用等によりズレることなく強固に結合され、東京スカイツリーからなるタイムリーで迫力のある優れた意匠を長期に亘って保持できる。また、箸１３の使用に際しても、断面三角形で転ろがり難く、持ち手部分は滑らかで持ち易く、かつ箸先部１ｂは、ゲイン塔をイメージする滑り止め部１２があってモノを掴み易く、使い勝手がよい。
【００２７】
なお、箸母材に造形される立体物及びチューブ状フィルムの彩色された図形は、上述した野菜、東京スカイツリーに限らず、他の所定の形体を表わしたものでもよい。
【符号の説明】
【００２８】
１１      箸素材
１２      箸母材
１３      箸
１ａ      持ち手部
１ｂ      箸先部
２        立体物（大根形状）
５        熱収縮性（チューブ状）フィルム
６        図形（大根図形）
７        所定の形体（大根）
９        所定の形体（胡瓜）
１０        所定の形体（人参）
１５        （第１展望台をイメージする）第１膨出部
１６        （第２展望台をイメージする）第２膨出部
１７        所定の形体（東京スカイツリー）
【図１】
0003178906.tif 000003
【図２】
0003178906.tif 000004
【図３】
0003178906.tif 000005
【図４】
0003178906.tif 000006
【図５】
0003178906.tif 000007
【図６】
0003178906.tif 000008
【図７】
0003178906.tif 000009